(57)【要約】【課題】可変表示ユニットの遊技盤への着脱を容易に行えるようにし、可変表示ユニットを共通化使用して、製造時のコストダウン及びリサイクル化を図れる遊技機を提供する。【解決手段】可変表示ユニット１９の上面には、フック状の係止部１８ｂが設けられている。さらに、可変表示ユニット１９前面の下部には、板バネからなる第１固定部２０が設けられている。この第１固定部２０の上面には嵌合部２０ａが設けられている。飾り枠１６に形成されている開口１６ａ上部には係止部１８ｂが係合するような取り付け部１６ｂが、さらに、開口１６ａ下部には、嵌合部２０ａを嵌合させる嵌合穴２２ａが形成された第２固定部２２が設けられている。係止部１８ｂを取り付け部１６ｂに係合させ、第１固定部２０を撓ませながら、可変表示ユニット１９を飾り枠１６に嵌め込む。嵌合部２０ａが、嵌合穴２２ａに嵌合すると可変表示ユニット１９は飾り枠１６にロックされる。【選択図】        図６
2004167012.tif 000002
【特許請求の範囲】
【請求項１】
識別情報の変動表示及び停止表示を少なくとも行う表示面を備えた可変表示装置と、前記表示面を露呈する開口が形成され、前記可変表示装置を覆う装着部材とが一体にされた可変表示ユニットと、所定の遊技領域を形成する遊技部材とを備えた遊技機において、
前記遊技部材の後部側に、前記可変表示ユニットを設置するための取り付け部を設け、前記可変表示ユニットに、前記取り付け部に係合する係止部を設けるとともに、前記遊技部材に設けられた開口部に対し、前記可変表示ユニットを着脱自在に保持するためのロック機構を、前記遊技部材及び可変表示ユニットの少なくともいずれか一方に設けたことを特徴とする遊技機。
【請求項２】
前記遊技部材は、少なくとも、前記開口部に対し設けられた飾り枠と、前記飾り枠を取り付けるための遊技板とから構成され、前記取り付け部を前記飾り枠に設けたことを特徴とする請求項１記載の遊技機。
【請求項３】
前記ロック機構を、嵌合部を有する第１固定部と、前記嵌合部を嵌合させる嵌合穴を有する第２固定部とから構成し、前記第１固定部を前記遊技部材又は可変表示ユニットの一方に、前記第２固定部を他方に設けたことを特徴とする請求項１又は２記載の遊技機。
【請求項４】
前記第１固定部、及び前記第２固定部の少なくともいずれか一つを、弾性を有する素材にて形成したことを特徴とする請求項３記載の遊技機。
【発明の詳細な説明】
【０００１】
【発明の属する技術分野】
本発明は、パチンコ店等の遊技場に設置して使用されるパチンコ機又はスロット機等の遊技機に関し、更に詳しくは、遊技に用いられる液晶ディスプレイ又は回胴式ユニット等の可変表示装置を備えた遊技機に関するものである。
【０００２】
【従来の技術】
遊技場に設置される遊技機の一つとしてパチンコ機が挙げられる。このパチンコ機にはパチンコ球等の遊技媒体が打ち出される遊技領域が形成された遊技盤が、取り付け部となるパチンコ機本体の枠内に配設され、その遊技盤の前面は、窓部を有する開閉自在な前面枠により被覆される構成となっている。遊技盤面には、遊技領域へ打ち出される遊技媒体を誘導するためのレールが取り付けられるとともに、遊技領域内には、障害釘や風車等の他に、電動チューリップや入賞チャッカー、アタッカー等の入賞装置が配設されている。
【０００３】
このような遊技領域に対して反対側となる背面には、入賞チャッカーやアタッカー等に設けられた入賞口に入ったパチンコ球を、所定の受け部へとガイドする球通路を設けた球通路セット盤が一般的に取り付けられている。
【０００４】
また、近年のパチンコ機の多くは、遊技盤上の略中央に設置されている飾り枠等に基づいて開口を形成し、この開口を通して観察できる図柄や数字等の識別情報を変動表示させる可変表示装置を備えている。
【０００５】
前記可変表示装置を用いて、ストーリー性や演出効果を持たせた態様を表示することによって遊技の興趣を高めることができる。最近では、この可変表示装置で表示される態様に対して、高度な表現力が求められるようになってきており、可変表示装置として、遊技盤の略中央に液晶ディスプレイを採用しているパチンコ機が一般的である。液晶ディスプレイの他に、７セグ表示器、ドットマトリクス表示器、ＥＬディスプレイ、ＬＥＤ表示器、プラズマディスプレイ、蛍光灯表示器、ドラム式表示器等も可変表示装置として用いられている。
【０００６】
【発明が解決しようとする課題】
しかしながら、上記のような液晶ディスプレイ（可変表示装置）を備えたパチンコ機では、液晶ディスプレイは、製造される各々の遊技盤に設けられた開口の位置に合うように、遊技盤、又は球通路セット盤等の背面に、釘やネジ等により頑強に固定されており、遊技盤を交換する際には液晶ディスプレイも一緒に交換しなければならなかった。また、液晶ディスプレイを取り外そうとしても、分解作業に手間がかかり作業性が悪く、液晶ディスプレイを壊してしまうことがあり、リサイクル性が悪いという問題があった。
【０００７】
また、パチンコ機本体側に液晶ディスプレイを固定し、遊技盤を交換した後も、パチンコ機本体側に液晶ディスプレイを残すようにした場合、新規遊技盤をパチンコ機本体に取り付ける際に、新規遊技盤に対して設けられる開口部と液晶ディスプレイの位置合わせが難しくなるだけでなく、液晶ディスプレイの配置に制限を設けてしまうという問題が発生してしまう。
【０００８】
本発明は、上記問題点を考慮してなされたもので、液晶ディスプレイ等の可変表示装置と、この可変表示装置に対して取り付けられ、可変表示装置を保護し得る装着部材とからなる可変表示ユニットを、遊技盤等の遊技部材に設けられている飾り枠等を有する開口部に、容易に着脱できるようにすることで、可変表示ユニットの遊技部材に対する配置自由度を高めるとともに、可変表示ユニットを遊技部材に取り付ける際の、位置合わせを容易に行えるようにし、さらに、可変表示ユニットを共通化使用して遊技部材に対し取り付けられるようにし、製造時のコストダウン及びリサイクル化を図れる遊技機を提供することを目的とする。
【０００９】
【課題を解決するための手段】
上記目的を達成するために、本発明の遊技機は、識別情報の変動表示及び停止表示を少なくとも行う表示面を備えた可変表示装置と、前記表示面を露呈する開口が形成され、前記可変表示装置を覆う装着部材とが一体にされた可変表示ユニットと、所定の遊技領域を形成する遊技部材とを備えたものであり、前記遊技部材の後部側に、前記可変表示ユニットを設置するための取り付け部を設け、前記可変表示ユニットに、前記取り付け部に係合する係止部を設けるとともに、前記遊技部材に設けられた開口部に対し、前記可変表示ユニットを着脱自在に保持するためのロック機構を、前記遊技部材及び可変表示ユニットの少なくともいずれか一方に設けたものである。
【００１０】
また、前記遊技部材は、少なくとも、前記開口部に対し設けられた飾り枠と、前記飾り枠を取り付けるための遊技板とから構成され、前記取り付け部を前記飾り枠に設けたものである。
【００１１】
また、前記ロック機構を、嵌合部を有する第１固定部と、前記嵌合部を嵌合させる嵌合穴を有する第２固定部とから構成し、前記第１固定部を前記遊技部材又は可変表示ユニットの一方に、前記第２固定部を他方に設けたものである。
【００１２】
また、前記第１固定部、及び前記第２固定部の少なくともいずれか一つを、弾性を有する素材にて形成することが好ましい。
【００１３】
前記可変表示装置は、操作ハンドル等の操作手段を用いて、予め定められた入賞部に対し遊技媒体を到達させた場合、又は外部入力操作手段にて入力操作が行われた場合に、所定の抽選手段にて抽選判定が行われ、当該判定結果に基づいて、識別情報を前記表示面にて所定時間に亘って変動表示させた後に所定の停止態様となるように停止表示させるものであると好適であり、ＣＰＵ（命令処理部）、ＲＯＭ及びＲＡＭ（記憶処理部）による制御構成にて処理される表示手段であることが好ましい。
【００１４】
【発明の実施の形態】
図１に示すように、パチンコ機２の本体枠３の内部には遊技部材４（所謂遊技盤面）が配設されており、遊技部材４の前面には前面枠５が開閉自在に設けられている。前面枠５の下方には、打球供給用の供給皿６及び遊技球発射手段にて遊技球を打ち出す強さを調節する操作ハンドル７が設けられている。遊技者は供給皿６に遊技球を投入し、操作ハンドル７を操作して、遊技部材４上の遊技領域４ａに対して遊技球を打ち出す。前面枠５が閉じている状態であるときには、遊技者や遊技場の作業者は、前面枠５に板状のガラスが装着されて形成されるガラス窓８を通して遊技部材４に設けられた遊技領域４ａ（図２に図示）及び遊技領域４ａ上を流下される打ち出された遊技球を見ることはできるが、遊技部材４にはもちろんのこと遊技部材４の後方に設けられた電子機器（図示せず）にも触れることはできない。
【００１５】
図２に示すように、遊技部材４は遊技板４ｂと飾り枠１６とから構成されている。遊技板４ｂ上にはガイドレール１０に囲まれた遊技領域４ａが形成され、液晶ディスプレイからなる可変表示装置１１や、始動入賞口１２、通常入賞口１３、アタッカ１４等の入賞部、及びアウトロ１５が配設されている。さらに、略矩形状の開口部１６ａを備えた飾り枠１６が、ビス１７によって遊技板４ｂの略中央に取り付けられている。また、遊技板４ｂには、不図示であるが、釘、風車などの役物も設けられている。遊技球はガイドレール１０に沿って打ち出され、遊技領域４ａ内を流下し、始動入賞口１２または通常入賞口１３またはアタッカ１４等の入賞部のいずれかに入賞するか、あるいはアウトロ１５からハズレ球として回収される。始動入賞口１２または通常入賞口１３またはアタッカ１４等の入賞部のいずれかに遊技球が入賞したときには所定個数の賞球が供給皿６に払い出される。なお、パチンコ機における釘、風車などの構造物は公知であるので説明は省略する。
【００１６】
可変表示装置１１は、遊技の様々な場面において演出効果を兼ねた様々な態様となるように例えば３桁の図柄又は数字等の識別情報を、表示面１１ａ（図３を参照）に変動表示及び停止表示させることができるものである。表示面１１ａは、パチンコ機２の前面より、飾り枠１６に形成された開口部１６ａを通して観察できるようになっている。
【００１７】
図３に示すように、可変表示ユニット１９は、可変表示装置１１と装着部材１８とから構成される。装着部材１８は、可変表装置１１を保護及び装着するためのものである。装着部材１８には、可変表示装置１１の表示面１１ａを露呈させるための開口１８ａが形成されている。また、装着部材１８の上面には、左側面上部から右側面上部にかけてフック状の係止部１８ｂが形成されている。さらに、装着部材１８前面の左下部及び右下部には、前方に突出するように形成された弾性を有する板バネ素材からなる第１固定部２０が左右それぞれ設けられている。この第１固定部２０の上面には、傾斜面形状を有する嵌合部２０ａが突設されている。また、第１固定部２０の先端には、下方に向けて嵌脱用操作部２０ｂが延設されている。
【００１８】
図４に示す飾り枠１６に形成されている開口部１６ａの後部側上部には、取り付け部１６ｂが、その下部には補強リブ１６ｃが設けられている。取り付け部１６ｂは、係止部１８ｂが係合するように形成され、補強リブ１６ｃによって支えられている。さらに、開口部１６ａの後部側下部には、第２固定部２２が設けられている。第２固定部２２は、飾り枠１６の背面から後方に向けて突出するように形成されており、この第２固定部２２には、装着部材１８の左下部及び右下部に設けられた第１固定部２０に突設された嵌合部２０ａを嵌合させる嵌合穴２２ａが左右それぞれに形成されている。飾り枠１６に取り付けられた可変表示ユニット１９を遊技部材４の開口部１６ａに対し着脱自在にロック（保持）するロック機構は、第１固定部２０と第２固定部２２とから構成される。なお、第１固定部２０と第２固定部２２は、適宜任意の個数となるように設けても良い。
【００１９】
図５乃至図７を用いて、上記のように構成されたパチンコ機の作用について説明する。図５及び図６に示すように、可変表示ユニット１９上部に設けられた係止部１８ｂを、飾り枠１６に設けられた取り付け部１６ｂに係合させる。次に、図６の矢印方向に可変表示ユニット１９下部を移動させていくと、第１固定部２０の嵌合部２０ａが、第２固定部２２の端部に接触する。さらに可変表示ユニット１９下部を前方に向けて押し込んでいくと、板バネからなる第１固定部２０は撓み、嵌合部２０ａは、第２固定部２２下面を摺動しながら嵌合穴２２ａに誘導される。嵌合部２０ａが、嵌合穴２２ａの直下に位置すると、第１固定部２０の撓みは解除され、図７に示すように、嵌合部２０ａは、嵌合穴２２ａに嵌合される。このようにして、可変表示ユニット１９は飾り枠１６にロックされる。ロックされることにより、可変表示ユニットの横方向へのズレがなくなり、飾り枠１６に対する可変表示ユニット１９の位置が決定する。
【００２０】
飾り枠１６に取り付けられた可変表示ユニット１９を、飾り枠１６から取り外す場合には、まず、第１固定部２０に設けられた嵌脱用操作部２０ｂを摘み、図７の矢印方向に外圧を加え、嵌合部２０ａと嵌合穴２２ａとの嵌合を解くように第１固定部２０を撓ませる。この状態を維持したまま、可変表示ユニット１９の下部を、第２固定部２２から離脱するように後方に移動させ、嵌脱させることによりロックを完全に解除し、最後に、係止部１８ｂと取り付け部１６ｂとの係合を解けば良い。
【００２１】
可変表示ユニット１９の飾り枠１６への取り付け方は、上述したような取り付け方に限定する必要はない。例えば、係止部１８ｂ及び取り付け部１６ｂの配置を９０度回転させた位置となるように設けた場合、外圧を加えることによって第１固定部２０を撓ませ、その状態を維持したまま、飾り枠１６の背面にて、係止部１８ｂを取り付け部１６ｂに係合させるように、可変表示ユニット１９を縦方向から、スライドさせながら嵌め込み、嵌合部２０ａが嵌合穴２２ａの位置に合致したところで、外圧を解除し、嵌合部２０ａを嵌合穴２２ａに嵌合させるようにしても良い。
【００２２】
このようにして可変表示ユニット１９は、飾り枠１６の背面に着脱自在に保持される。これにより、遊技性に応じて仕様変更される遊技部材４に対する可変表示ユニット１９の配置自由度を高めることが可能となり、さらに、可変表示ユニット１９の共通化使用も可能となる。
【００２３】
第１固定部の構成については、上記実施形態で説明したものに限定する必要はない。以下、図８を参照して第１固定部における別の実施形態について説明する。なお、上記実施形態と同一の部材については、同一の符号を付してその説明を省略する。図８に示すように、可変表示ユニット１９の左下部及び右下部（不図示）には、第１固定部２３がそれぞれ設けられている。第１固定部２３は、矩形状の枠２３ａ、嵌合部２３ｂ、嵌脱用操作部２３ｃとから構成されている。嵌合部２３ｂは、弾性を有する板バネ素材からなり、枠２３ａの一端を構成している前方縁の中央部から枠２３ａの内側上方に向けて突出するように形成されている。さらに、嵌脱用操作部２３ｃが、嵌合部２３ｂの頂部から下方に向けて延設されている。
【００２４】
可変表示ユニット１９の飾り枠１６への取り付けは、第１の実施形態と同様にして行えば良い。また、このようにして取り付けられた可変表示ユニット１９を飾り枠１６から取り外す場合には、まず嵌脱用操作部２３ｃを摘み、下方に向けて引っ張ることによって、板バネからなる嵌合部２３ｂを撓ませ、嵌合部２３ｂと嵌合穴２２ａとの嵌合を解く。その後は、第１の実施形態と同様にして取り外せば良い。
【００２５】
なお、上記実施形態では、遊技板４ｂに取り付けられた飾り枠１６に、取り付け部１６ｂ及び第２固定部２２を設けたが、これに限ることなく、遊技板４ｂ又は他の接続部材に、取り付け部及び第２固定部を設けても良い。
【００２６】
上記実施形態では、嵌合部２０ａを設けた第１固定部２０を可変表示ユニット１９に、嵌合穴２２ａを設けた第２固定部２２を飾り枠１６に設けたが、これに限ることなく、第１固定部を飾り枠１６又は遊技板４ｂ又は他の接続部材に、第２固定部を可変表示ユニット１９に設けても良い。
【００２７】
上記実施形態では、第１固定部２０を弾性を有する板バネ素材で形成したが、これに限ることなく、第２固定部２２を弾性を有する板バネ素材で形成しても良い。この場合、仮に、第１固定部２０が板バネ等の弾性部材で形成されてなくても、可変表示ユニット１９を飾り枠１６に取り付ける際には、第２固定部２２を撓ませることによって、上記実施形態で説明したような方法で、可変表示ユニット１９を、飾り枠１６に取り付けることができる。
【００２８】
上記実施形態では、ロック機構は、可変表示ユニット１９に設けられた第１固定部２０と、飾り枠１６に設けられた第２固定部２２とから構成されているが、これに限ることなく、ロック機構は、可変表示ユニット１９、又は遊技部材４の少なくともいずれか一方に設けられていれば良い。例えば、可変表示ユニット１９に設けられた第１固定部に替え、その位置に吸盤を設け、その吸盤を飾り枠１６に吸着させることで、可変表示ユニット１９と飾り枠１６とは着脱自在に保持される。また、吸盤を遊技部材４側に設け、可変表示ユニットを吸着するようにしても良い。このように本発明の範囲内において適宜の構造にして良い。
【００２９】
上記実施形態では、開口部１６ａの上方側に係止部を設け、下方側にロック機構を設けるというように別々の位置に分離した例で説明したが、係止部に対してロック機構を設けても良い。また、ロック機構のみによって係止部の役目を果たすようにしても良い。ゆえに、可変表示ユニット１９における係止部１８ｂの位置にてロック機構からなる第１固定部を設け、遊技部材４側の第１固定部と相対する位置（取り付け部１６ｂの位置）にて第２固定部を設けるようにしても良く、また、開口部１６ａの上下方向両側に対し係止部又はロック機構を設ける構成としても良い。
【００３０】
また、他の実施形態として、開口部１６ａの下方側に係止部を設け上方側にロック機構を設ける構成としても良い。これ以外にも、９０度回転させた右又は左方側に係止部を設け、他方側にロック機構を設ける構成にすることも可能である。また、上下左右における任意の方向側に対し、係止部及びロック機構の少なくともいずれか一方を設ける構成としても良い。勿論、前述の組み合わせによって構成することも可能である。
【００３１】
【発明の効果】
以上のように、本発明の遊技機によれば、遊技部材の後部側に、可変表示ユニットを設置するための取り付け部を設け、可変表示ユニットに、取り付け部に取り付けられる係止部を設けるとともに、遊技部材に設けられた開口部に対し、可変表示ユニットを着脱自在に保持するためのロック機構を弾性部材を用いて構成したので、工具を用いずに簡単に可変表示ユニットを遊技部材に脱着させることが可能となる。さらに、遊技部材に対する可変表示ユニットの配置についての自由度を高めるとともに、可変表示ユニットを遊技部材に取り付ける際の、位置合わせを容易に行うことができる。また、可変表示ユニットの共通化使用を可能にしたので、製造時のコストダウン及びリサイクル化を図ることが可能となる。
【図面の簡単な説明】
【図１】本発明を実施したパチンコ機の外観を示す解斜視図である。
【図２】図１に示したパチンコ機の前面枠を開放した状態の外観を示す斜視図である。
【図３】可変表示ユニットの構成を説明するための概略斜視図である。
【図４】飾り枠及び遊技部材の要部を説明するための概略背面側斜視図である。
【図５】飾り枠及び可変表示ユニットの要部における内部構造を省略した概略縦断面図である。
【図６】可変表示ユニットの飾り枠への取り付け方法を説明するための内部構造を省略した概略縦断面図である。
【図７】可変表示ユニットが飾り枠に取り付けられロックされた状態を示す内部構造を省略した概略縦断面図である。
【図８】第１固定部における別の実施形態を示す概略斜視図である。
【符号の説明】
２  パチンコ機
４  遊技部材
４ａ  遊技領域
４ｂ  遊技板
１１  可変表示装置
１１ａ  表示面
１６  飾り枠
１６ａ  開口部
１６ｂ  取り付け部
１８  装着部材
１８ａ  開口
１８ｂ  係止部
１９  可変表示ユニット
２０，２３  第１固定部
２０ａ，２３ｂ  嵌合部
２０ｂ，２３ｃ  操作部
２２  第２固定部
２２ａ  嵌合穴
【図１】
2004167012.tif 000003
【図２】
2004167012.tif 000004
【図３】
2004167012.tif 000005
【図４】
2004167012.tif 000006
【図５】
2004167012.tif 000007
【図６】
2004167012.tif 000008
【図７】
2004167012.tif 000009
【図８】
2004167012.tif 000010